【手続補正書】
【提出日】平成21年1月8日(2009.1.8)
【手続補正１】
【補正対象書類名】明細書
【補正対象項目名】特許請求の範囲
【補正方法】変更
【補正の内容】
【特許請求の範囲】
【請求項１】 少なくとも１つのＸ線源と少なくとも１つのＸ線検出器アレイとを含んでいるイメージング・システムを用いて、静止した構造と少なくとも１つの運動している構造とを有する物体の画像を形成する方法であって、
各々の検出器アレイを用いて収集された投影データの平均差を決定する工程と、
該投影データの決定された平均差を使用し、該投影データをフィルタ処理して前記静止した物体を除去する工程と、を備えている前記方法。
【請求項２】 前記フィルタ処理後の投影データを用いて、前記物体の少なくとも１つの強調画像を形成する工程を更に含んでいる請求項１に記載の方法。
【請求項３】 前記投影データをフィルタ処理して前記静止した物体を除去する工程は、前記投影データの決定された平均差を使用を用いて推定背景データを形成する工程と、前記投影データから前記推定背景データを減算する工程と、を含んでいる請求項２に記載の方法。
【請求項４】 各々のフレームの投影データが、複数のピクセルを含んでおり、前記の推定背景データを形成する工程は、
【数１】
2000210282.tif 000001
に従って各々のピクセルの平均強度を決定する工程を含んでおり、ここで、Ｎ＝投影データのフレームの数、及びＳk（ｉ，ｊ）＝ｋ番目のフレームの投影データのピクセル（ｉ，ｊ）の強度である請求項３に記載の方法。
【請求項５】 前記投影データから前記推定背景データを減算する工程は、各々のフレームの投影データから平均データを減算する工程を含んでいる請求項３に記載の方法。
【請求項６】 投影データを収集する工程は、少なくとも２つのフレームの投影データを収集する工程を含んでいる請求項１に記載の方法。
【請求項７】 前記投影データをフィルタ処理して前記静止した物体を除去する工程は、第１のフレームの投影データと、少なくとも第２のフレームの投影データとの間の差データを決定する工程と、差データ平均を決定する工程と、を含んでいる請求項６に記載の方法。
【請求項８】 前記差データ平均を用いて、選択される投影フレームの部分を識別する工程と、を含んでいる請求項７に記載の方法。
【請求項９】 前記投影データから前記選択された投影フレームの部分を除去して、フィルタ処理後の投影データを形成する工程と、該フィルタ処理後の投影データを用いて、前記物体の画像を形成する工程と、を更に含んでいる請求項７に記載の方法。
【請求項１０】 前記選択された投影フレームの部分に第１の重みを割り当てる工程と、選択されていない投影フレームの部分に第２の重みを割り当てる工程と、前記重み付けされた投影フレームを用いて前記物体の画像を形成する工程と、を更に含んでいる請求項８に記載の方法。
【請求項１１】 前記運動している構造の運動時相を識別する工程を更に含んでいる請求項１０に記載の方法。
【請求項１２】 前記第１の重み及び前記第２の重みはそれぞれ、前記運動している構造の前記運動時相の関数である請求項１１に記載の方法。
【請求項１３】 前記システムは、心臓の心拍周期を表わす心電図信号を更に含んでおり、前記投影データをフィルタ処理して前記静止した物体を除去する工程は、前記心電図信号を用いて、選択される投影フレームの部分を識別する工程を含んでいる請求項６に記載の方法。
【請求項１４】 前記イメージング・システムは、第１のＸ線源と第１の検出器アレイと第２のＸ線源と第２の検出器アレイとを含んでおり、各々の検出器アレイを用いて投影データを収集する工程は、前記第１のＸ線源及び前記第１の検出器アレイが前記物体に対して第１の角度に沿って整列している状態で、前記第１の検出器アレイを用いて第１の投影データの少なくとも２つのフレームを収集する工程と、前記第２のＸ線源及び前記第２の検出器アレイが前記物体に対して第２の角度に沿って整列している状態で、前記第２の検出器アレイを用いて第２の投影データの少なくとも２つのフレームを収集する工程と、を含んでいる請求項１に記載の方法。
【請求項１５】 前記第１の角度は前記第２の角度と等しくなく、前記第１の投影データと第２の投影データとを同期させる工程を更に含んでいる請求項１４に記載の方法。
【請求項１６】 前記第１の投影データ及び前記第２の投影データの各々のフレームのそれぞれのフレーム対フレームの位置合わせを行う工程を更に含んでいる請求項１４に記載の方法。
【請求項１７】 少なくとも１つのＸ線源と少なくとも１つのＸ線検出器アレイとを含んでおり、静止した構造と少なくとも１つの運動している構造とを有する物体の画像を形成するイメージング・システムであって、各々の前記検出器アレイを用いて投影データを収集し、収集された前記投影データの平均差を決定し、該投影データの決定された平均差を使用し、該投影データをフィルタ処理して前記静止した物体を除去するように構成されていることを特徴とするイメージング・システム。
【請求項１８】 前記フィルタ処理後の投影データを用いて、前記物体の少なくとも１つの強調画像を形成するように更に構成されている請求項１７に記載のイメージング・システム。
【請求項１９】 前記投影データをフィルタ処理して前記静止した物体を除去するために、前記投影データの決定された平均差を用いて推定背景データを形成し、前記投影データから前記推定背景データを減算するように構成されている請求項１８に記載のイメージング・システム。
【請求項２０】 前記投影データを用いて推定背景データを形成するために、前記投影データの平均差を決定するように構成されている請求項１９に記載のイメージング・システム。
【請求項２１】 各々のフレームの投影データが複数のピクセルを含んでおり、前記投影データを用いて推定背景データを形成するために、
【数２】
2000210282.tif 000002
に従って各々のピクセルの平均強度を決定するように構成されており、ここで、Ｎ＝投影データのフレームの数、及びＳk（ｉ，ｊ）＝ｋ番目のフレームの投影データのピクセル（ｉ，ｊ）の強度である請求項１９に記載のイメージング・システム。
【請求項２２】 前記投影データから前記推定背景データを減算するために、各々のフレームの投影データから平均データを減算するように構成されている請求項１９に記載のイメージング・システム。
【請求項２３】 投影データを収集するために、少なくとも２つのフレームの投影データを収集するように構成されている請求項１７に記載のイメージング・システム。
【請求項２４】 前記投影データをフィルタ処理して前記静止した物体を除去するために、第１のフレームの投影データと少なくとも第２のフレームの投影データとの間の差データを決定し、差データ平均を決定し、該差データ平均を用いて、選択される投影フレームの部分を識別するように構成されている請求項２３に記載のイメージング・システム。
【請求項２５】 前記投影データから前記選択された投影フレームの部分を除去して、フィルタ処理後の投影データを形成し、該フィルタ処理後の投影データを用いて、前記物体の画像を形成するように更に構成されている請求項２４に記載のイメージング・システム。
【請求項２６】 前記選択された投影フレームの部分に第１の重みを割り当て、選択されていない投影フレームの部分に第２の重みを割り当て、前記重み付けされた投影フレームを用いて前記物体の画像を形成するように更に構成されている請求項２４に記載のイメージング・システム。
【請求項２７】 前記運動している構造の運動時相を識別するように更に構成されている請求項２６に記載のイメージング・システム。
【請求項２８】 前記第１の重み及び前記第２の重みはそれぞれ、前記運動している構造の前記運動時相の関数である請求項２７に記載のイメージング・システム。
【請求項２９】 心臓の心拍周期を表わす心電図信号を更に含んでおり、前記投影データをフィルタ処理して前記静止した物体を除去するために、前記心電図信号を用いて、選択される投影フレームの部分を識別するように構成されている請求項２３に記載のイメージング・システム。
【請求項３０】 前記イメージング・システムは、第１のＸ線源と第１の検出器アレイと第２のＸ線源と第２の検出器アレイとを含んでおり、各々の前記検出器アレイを用いて投影データを収集するために、該システムは、前記第１のＸ線源及び前記第１の検出器アレイが前記物体に対して第１の角度に沿って整列している状態で、前記第１の検出器アレイを用いて第１の投影データの少なくとも２つのフレームを収集し、前記第２のＸ線源及び前記第２の検出器アレイが前記物体に対して第２の角度に沿って整列している状態で、前記第２の検出器アレイを用いて第２の投影データの少なくとも２つのフレームを収集するように構成されている請求項１７に記載のイメージング・システム。
【請求項３１】 前記第１の角度は、前記第２の角度と等しくなく、前記第１の投影データと第２の投影データとを同期させるように更に構成されている請求項３０に記載のイメージング・システム。